(57)【特許請求の範囲】
【請求項１】
入力されたアナログビデオ信号に基づきカラー映像を表示する表示手段を備えたカラー映像表示装置において、
上記アナログビデオ信号をデコードして当該アナログビデオ信号の赤色、緑色及び青色の各色に対応する出力信号を出力するデコーダと、
上記アナログビデオ信号の輝度を複数のレベルと比較し、その比較結果に対応するデジタルデータを出力するＡ／Ｄコンバータと、
上記Ａ／Ｄコンバータからの上記デジタルデータに基づき、上記デコーダからの上記各色に対応する出力信号を上記表示手段へ供給するか否かの制御を行うスイッチ回路と、
上記スイッチ回路により上記デジタルデータに基づく上記制御を行う動作状態と、上記デジタルデータに基づく上記制御を行わず上記各色に対応する出力信号を常に上記表示部へ供給する非動作状態とを切り替える切り替え手段とを備え、
上記アナログビデオ信号がモノクロビデオ信号であるとき擬似カラー表示を行うことができるように構成されている
ことを特徴とするカラー映像表示装置。
【発明の詳細な説明】
【０００１】
【産業上の利用分野】
本発明は、小型の液晶パネル（以下ＬＣＤと略す）を内蔵したカラー映像表示装置に関する。
【０００２】
【従来の技術】
いわゆる産業用の機械、部品の位置決め装置や動画像処理装置、文字読み取り装置などにおいて多くのビデオカメラが組み込まれて使われている。このビデオカメラは通常モノクロ（白黒）カメラであり、ビデオモニターも１３インチ程度モノクロのものが装置の上に置かれて使われていた。更にこのようなビデオカメラが組み込まれた産業機械をポータブル型にしたもの、例えば、光ファイバー溶着接続器では、３インチのモノクロ液晶モニターが使われ、白黒の画像でモニターされる。
【０００３】
【発明が解決しようとする課題】
しかしながら、従来の産業用機械のビデオモニターでは、白黒画面であるため、カラー画像と比較して識別しにくく、画像を明るさだけから識別するためにモニターの画面サイズを大きくする必要があった。このモニターを大きくするということは、装置から分離し上に置いたり、ポータブル機器では外に出っ張る事になるという不都合が生じた。
【０００４】
【課題を解決するための手段】
本発明は、入力されたアナログビデオ信号に基づきカラー映像を表示する表示手段を備えたカラー映像表示装置において、アナログビデオ信号をデコードして当該アナログビデオ信号の赤色、緑色及び青色の各色に対応する出力信号を出力するデコーダと、アナログビデオ信号の輝度を複数のレベルと比較し、その比較結果に対応するデジタルデータを出力するＡ／Ｄコンバータと、Ａ／Ｄコンバータからのデジタルデータに基づき、デコーダからの各色に対応する出力信号を表示手段へ供給するか否かの制御を行うスイッチ回路と、スイッチ回路によりデジタルデータに基づく制御を行う動作状態と、デジタルデータに基づく制御を行わず各色に対応する出力信号を常に表示部へ供給する非動作状態とを切り替える切り替え手段とを備え、アナログビデオ信号がモノクロビデオ信号であるとき擬似カラー表示を行うことができるように構成されていることを特徴とする。
【０００５】
【作用】
上記の手段を備えたことにより、本発明のカラー映像表示装置によれば、例えばモノクロのアナログビデオ信号をデコーダした赤色、緑色及び青色の各信号をスイッチングして、アナログビデオ信号の輝度成分の階調に対応する複数の異なる色によるカラー映像を形成するので、極めて簡単な構成で、例えばモノクロのアナログビデオ信号がカラー画像として表示される。
【０００６】
【実施例】
以下この発明の実施例を図面とともに詳述する。
【０００７】
図１は本発明の一実施例の外観である。本体１はフロントパネル２、ケース３、リアパネル４からなる。フロントパネル２はパネルの中央部に窓６が貼ってあり、窓６は周辺７が黒く塗ってあり  中央の透明部８を通してＬＣＤの画面を見ることが出来る。９は留め螺子である。またフロントパネル２の表面の孔１０は中に螺子が切ってあり、前面から本体１を螺子止め可能としている。
【０００８】
図２は反対側から本体１を見た図であり、ケース３の底面には三脚螺子アダプター１００の取り付け用螺子穴１０１が開いている。１１はＬＣＤの画像調整用ボリュームを回す螺子回しを挿入するための穴である。リアパネル４には電源端子１２、ビデオ入力端子１３、画面表示切り替えスイッチ１４が付いている。
【０００９】
図３は本体１を分解した図である。ケース３のなかにフレーム本体１５が入っている。
【００１０】
図４はフレーム本体１５の詳細図である。フレーム１６にバックライト付きＬＣＤ１７、ＬＣＤ駆動基板１８、疑似カラー回路基板１９、電源基板２０があり、電源基板２０には電源端子１２、ビデオ入力端子１３、画面表示切り替えスイッチ１４がマウントされている。
【００１１】
図５は本装置の電気回路を示したものである。ビデオ信号と直流電源を  それぞれ端子２１と２２に入力する。２３は入力したビデオ信号をそのままＬＣＤに映し出すか、疑似カラーで表示するかの切り替えスイッチである。入力したビデオ信号はデコーダー２４によってＲＧＢ（赤緑青）に分けられる。一方端子２１から入力されたビデオ信号はＡ／Ｄコンバーター２５にも入力される。
【００１２】
Ａ／Ｄコンバーター２５はここではコンパレーターの役目をしており、ビデオ信号の輝度信号の大きさの階調に従ってデコーダー２４から出力されるＲＧＢ信号をスイッチングする回路２６を働かせる。処理されたＲＧＢ信号はＬＣＤドライバー回路２８に入りＬＣＤパネル２９に映し出される。
【００１３】
本装置ではＡ／Ｄコンバーター２５はＲＧＢをスイッチすることにより、輝度信号の大きい順に  白（灰）、黄、シアン、緑、マゼンダ、赤、青、黒の色がつくようになっている。回路２６を働かせるかどうかは切り替えスイッチ２３により切り替えられる。３０はバックライト、３１は電源回路、３２はバックライト用インバーター電源である。
【００１４】
図６は本装置を光ファイバ溶着接続器に組み込んだ例である。傾斜のついた操作パネル４１に操作ボタンと並んで本装置が螺子４２によってとめられ、ボタンを操作するとき窓６によって光ファイバ溶着接続器に内蔵されたビデオカメラの映像を見ることができる。
【００１５】
図７に光ファイバ溶着接続器に映し出される画面の一例を示す。これは２本の光ファイバー４４を自動的に一線に並べる（ＡＬＩＧＮＩＮＧ）工程の図であり、光ファイバーの芯線部４５と周辺部４６、そして背景４７では明るさが違う。上の図は従来の例でありモノクロ画像のため明るさだけで表示される。下の図は本装置の表示例であり明るさの階調にしたがって４６が黄色、４５が赤、４７が緑で示される。
【００１６】
この実施例では色の並び方をいわゆるカラーバーに合わせたが、目的によって変更は可能である。例えば燃焼温度による色変化など、人間の感性に合わせてもよい。また、本例では８色で表示したが、もっと色の数を絞って３色程度にしてもよい。白黒の画像に一色だけ色を付けることも可能である。
【００１７】
【発明の効果】
本発明のカラー映像表示装置によれば、例えばモノクロのアナログビデオ信号をデコーダした赤色、緑色及び青色の各信号をスイッチングして、アナログビデオ信号の輝度成分の階調に対応する複数の異なる色によるカラー映像を形成するので、極めて簡単な構成で、例えばモノクロのアナログビデオ信号をカラー画像として表示することができるものである。
【００１８】
これにより、入力された映像信号の輝度成分の階調レベルに従って変化する複数の異なる色により表示する回路を内蔵しているので、モノクロ信号を入力してもカラー画像として表示される。モノクロ信号を入力してもカラー画像として表示されるので、小型の画面のモニターでも、内容を識別することが可能となる。従って画面が小型になれば装置にモニターをたやすく組み込むことができる。さらに、大量に使用されコストも安価な、ビデオカメラ一体型ＶＴＲのビューファインダーに使われる小型カラーＬＣＤを流用してモニターに使うことが可能となる。
【図面の簡単な説明】
【図１】本発明によるカラービデオモニター装置の一例の構成図である。
【図２】反対側から１を見た図である。
【図３】１を分解した図である。
【図４】１５の詳細図である。
【図５】本装置の電気回路を示した図である。
【図６】本装置を光ファイバ溶着接続器に組み込んだ例を示す図である。
【図７】光ファイバ溶着接続器に映し出される画面の一例を示す図である。
【符号の説明】
１  本体
２  フロントパネル
３  ケース
４  リアパネル
６  窓
７  周辺
８  透明部
９  留め螺子
１０  中に螺子の切られた孔
【図１】
0003729508.tif 000002
【図２】
0003729508.tif 000003
【図３】
0003729508.tif 000004
【図４】
0003729508.tif 000005
【図５】
0003729508.tif 000006
【図６】
0003729508.tif 000007
【図７】
0003729508.tif 000008